(57)【要約】【課題】自動的に開くコンパートメントを有するパックを提供すること。【解決手段】パック１０は、本体１２とストラップ３６，３８とを有する。パック１０の一部分は、パック１０の別の本体部にヒンジ動作可能１１に結合される。ヒンジ動作可能部分１１は、開口１をパック１０の内の主コンパートメント３０に提供する第１の状態、および主コンパートメント３０への開口１を閉じる第２の状態を有する。ヒンジ動作可能部分１１は、閉鎖システムが解放されるときに主コンパートメント３０が自動的に開くように、ヒンジ動作可能部分１１が第１の状態にあるときは無負荷であり、第２の状態にあるときは相対的に負荷をかけられるばねシステムに結合される。パック１０は、ヒンジ動作可能部分１１を閉鎖状態にロックするための閉鎖システム２３ａ，２３ｂを含んでもよい。【選択図】図３
2017000706.tif 000002
【特許請求の範囲】
【請求項１】
パックであって、
物品を含有するための容積部を規定する本体であって、全体的に高さ、幅、および深さを有する前記本体と、
前記本体にヒンジ動作可能に結合されるヒンジ動作可能部分であって、開口を前記パック内のコンパートメントに提供する第１の状態および前記コンパートメントへの前記開口を閉じる第２の状態を有する前記ヒンジ動作可能部分と、
前記ヒンジ動作可能部分を閉鎖状態にロックするための閉鎖システムと、を備え、
前記ヒンジ動作可能部分は、前記閉鎖システムが解放されるときに前記コンパートメントが自動的に開くように、前記ヒンジ動作可能部分が前記第１の状態にあるときは無負荷であり、前記第２の状態にあるときは相対的に負荷をかけられるばねシステムに結合されることを特徴とするパック。
【請求項２】
請求項１に記載のパックであって、前記ヒンジ動作可能部分は、柔軟な材料を備えることを特徴とするパック。
【請求項３】
請求項２に記載のパックであって、前記ヒンジ動作可能部分は、柔軟な材料で形成可能なフレクシャベアリングまたは一体成形ヒンジを備える接合部においてヒンジ動作することを特徴とするパック。
【請求項４】
請求項３に記載のパックであって、前記接合部は、前記ヒンジ動作可能部分がそこからヒンジ動作する前記接合部に隣接する前記本体よりも柔軟なまたは薄い材料で形成されることを特徴とするパック。
【請求項５】
請求項１に記載のパックであって、前記ヒンジ動作可能部分は、前記本体に枢動可能に接続されかつ前記ばねシステムに結合される可動フレーム部材を含むことを特徴とするパック。
【請求項６】
請求項５に記載のパックであって、前記可動フレーム部材は、全体的にＵ字形を有し、前記Ｕ字形の部材の閉鎖端部は、上部エッジにおいて前記ヒンジ動作可能部分に結合されかつ前記本体の両側と枢動可能に結合する下向きに延びる脚部を有することを特徴とするパック。
【請求項７】
請求項６に記載のパックであって、前記ばねシステムは、フレーム部材の少なくとも１つの脚部に枢動可能に結合されることを特徴とするパック。
【請求項８】
請求項１に記載のパックであって、前記ばねシステムは、機械的ばねを備えることを特徴とするパック。
【請求項９】
請求項１に記載のパックであって、前記ばねシステムは、トーションばねを備えることを特徴とするパック。
【請求項１０】
請求項１に記載のパックであって、前記ばねシステムは、材料に基づくばねを備えることを特徴とするパック。
【請求項１１】
請求項１に記載のパックであって、前記ヒンジ動作可能部分は、前記パックの上方前部に配置されることを特徴とするパック。
【請求項１２】
請求項１に記載のパックであって、前記ヒンジ動作可能部分は、前記パックの上方前部に配置されかつ前記パックの上部に開口を作成するように背部に対して枢動可能であることを特徴とするパック。
【請求項１３】
請求項５に記載のパックであって、前記ヒンジ動作可能部分は、前記パックの上方前部に配置されかつ前記パックの上部に開口を作成するように背部に対して枢動可能であることを特徴とするパック。
【請求項１４】
請求項１２に記載のパックであって、前記開口は、前記パックの主コンパートメントのためであることを特徴とするパック。
【請求項１５】
請求項１３に記載のパックであって、前記開口は、前記パックの主コンパートメントのためであることを特徴とするパック。
【請求項１６】
請求項１２に記載のパックであって、前記開口は、ラップトップまたはタブレットコンピュータを保持するのに十分なサイズおよび形状にされた前記パックの前記コンパートメントのためであることを特徴とするパック。
【請求項１７】
請求項１３に記載のパックであって、前記開口は、ラップトップまたはタブレットコンピュータを保持するのに十分なサイズおよび形状にされた前記パックの前記コンパートメントのためであることを特徴とするパック。
【請求項１８】
請求項１に記載のパックであって、前記パックは、前記本体に結合される少なくとも１つの身体用ストラップを有する着用パックを構成することを特徴とするパック。
【請求項１９】
請求項１８に記載のパックであって、前記パックの前記本体に結合される肩ストラップを備える２つの身体用ストラップを有することを特徴とするパック。
【請求項２０】
物品を含有するための容積部を規定する本体であって、全体的に高さ、幅、および深さ、ならびに前記本体に結合される少なくとも１つの身体用ストラップを有する前記本体と、
パックの本体部にヒンジ動作可能に結合されるヒンジ動作可能部分であって、開口を前記パック内のコンパートメントに提供する第１の状態および前記コンパートメントへの前記開口を閉じる第２の状態を有する前記ヒンジ動作可能部分と、
前記ヒンジ動作可能部分を閉鎖状態にロックするための閉鎖システムと、を備え、
前記ヒンジ動作可能部分は、前記閉鎖システムが解放されるときに前記コンパートメントが自動的に開くことになるように、前記ヒンジ動作可能部分が前記第１の状態にあるときは無負荷であり、前記第２の状態にあるときは相対的に負荷をかけられるばねシステムに結合され、
前記ヒンジ動作可能部分は、前記パックの前記本体部に枢動可能に接続されかつ前記ばねシステムに結合される可動フレーム部材を含み、
前記ヒンジ動作可能部分は、前記パックの上方前部に配置されかつ前記パックの上部に開口を作成するように背部に対して枢動可能であり、前記ヒンジ動作可能部分は、柔軟な材料で形成されるフレクシャベアリングまたは一体成形ヒンジを備える接合部に沿ってヒンジ動作することを特徴とする着用パック。
【請求項２１】
請求項２０に記載の着用パックであって、前記パックの前記コンパートメントを所望の容積部の形に支持する静的フレーム部材をさらに備えることを特徴とする着用パック。
【請求項２２】
物品を含有するための容積部を規定する本体を提供するステップであって、前記本体は、全体的に高さ、幅、および深さ、ならびに前記本体に結合される少なくとも１つの身体用ストラップを有する、ステップと、
前記パックにヒンジ動作可能部分を提供するステップであって、前記ヒンジ動作可能部分は、開口を前記パック内のコンパートメントに提供する第１の状態および前記コンパートメントへの前記開口を閉じる第２の状態を有する、ステップと、
前記ヒンジ動作可能部分を閉鎖状態にロックするための閉鎖システムを前記パックに提供するステップと、
前記ヒンジ動作可能部分に結合され、前記閉鎖システムが解放されるときに前記コンパートメントが自動的に開くことになるように、前記ヒンジ動作可能部分が前記第１の状態にあるときは無負荷であり、前記第２の状態にあるときは相対的に負荷をかけられるばねシステムを前記パックに提供するステップとを含むことを特徴とするパックを作る方法。
【発明の詳細な説明】
【技術分野】
【０００１】
本発明の主題は一般に、バックパック、デイパック、リュックサック、ナップザック、バイクメッセンジャーバッグのような着用パック、ならびにスーツケース、旅行ケース、ダッフルバッグ、およびブリーフケースのような梱包された品物の他のキャリアなどのパックに向けられる。
【背景技術】
【０００２】
パックは、長く知られている。それらは、使用者の品物を収納するための１つ以上のコンパートメントを有する。典型的には、コンパートメントは、ジッパー、引き紐システム、スナップファスナー、面ファスナー、その他などの閉鎖システムによって固定される。パックおよび閉鎖システムの設計は、コンパートメントを開き、アクセスすることが徹底的に手動である（ｍａｎｕａｌｌｙ  ｉｎｔｅｎｓｉｖｅ）といったものである。パックの前部および背部は、互いに倒れ込むこともあり、品物をパックに追加するために、またはすでにパックにある品物をより分けるために手動で分離することを必要とする。そのような努力は、品物を収納するまたは取り出すときに遅延および欲求不満を引き起こす。
【０００３】
現代では、検問所が、空港、裁判所、コンサートおよび他の施設において我々と向かい合う。それらは、待っている列とのペースを保つために素早さが必要とされる場所である。安全検査の過程で品物を取り出し、収納するときの遅延は、特にストレスの多いこともある。着用パックのための先行技術の設計は不利なことに、パック内のコンパートメントへのアクセスの容易さを促進しない。それに応じて、コンパートメントへのアクセスを効果的に可能にする改善されたパックの必要性がある。
【発明の概要】
【課題を解決するための手段】
【０００４】
本発明の主題は一般に、自動的に開くコンパートメントを有するパックに向けられる。パックは、物品を含有するための容積部を規定する本体と、パックを使用者の身体に支持するためのストラップシステムとを有する。パックの一部分は、パックの別の本体部にヒンジ動作可能に結合される。ヒンジ動作可能部分は、開口をパック内のコンパートメントに提供する第１の状態、およびコンパートメントへの開口を閉じる第２の状態を有する。ヒンジ動作可能部分は、閉鎖システムが解放されるときにコンパートメントが自動的に開くように、（１）ヒンジ動作可能部分が第１の状態にあるときは無負荷であり、（２）第２の状態にあるときは相対的に負荷をかけられるばねシステムに結合される。パックは、ヒンジ動作可能部分を閉鎖状態にロックするための閉鎖システムを含んでもよい。
【０００５】
前述の実施形態および他の実施形態では、ヒンジ動作可能部分は、柔軟な材料を備えてもよく、ヒンジ動作可能部分は、柔軟な材料で形成可能なフレクシャベアリングまたは一体成形ヒンジを備える接合部においてヒンジ動作してもよく、接合部は、ヒンジ動作可能部分がそこからヒンジ動作する接合部に隣接するパックの本体部よりも柔軟なまたは薄い材料で形成されてもよく、ヒンジ動作可能部分は、パックの本体部に枢動可能に接続されかつばねシステムに結合される可動フレーム部材を含んでもよく、可動フレーム部材は、全体的にＵ字形を有してもよく、Ｕ字形部材の閉鎖端部は、上部エッジにおいてヒンジ動作可能部分に結合され、パックの本体部の両側と枢動可能に結合する下向きに延びる脚部を有し、ばねシステムは、フレーム部材の少なくとも１つの脚部に枢動可能に結合されてもよく、ばねシステムは、機械的ばねを備えてもよく、ばねシステムは、トーションばねを備えてもよく、ばねシステムは、材料に基づくばねを備えてもよく、ヒンジ動作可能部分は、パックの上方前部に配置されてもよく、ヒンジ動作可能部分は、パックの上方前部に配置されてもよくかつパックの上部に開口を作成するように背部に対して枢動可能であってもよく、開口は、パックの主コンパートメントのためであってもよく、開口は、ラップトップまたはタブレットコンピュータを保持するのに十分なサイズおよび形状にされたパックのコンパートメントのためであってもよい。
【０００６】
任意の熟考される実施形態では、パックは、本体に結合される少なくとも１つの身体用ストラップを有する着用パックであってもよい。着用パックは、パックの本体に結合される一対の肩ストラップを有するバックパックであってもよい。
【０００７】
ある実施形態では、本発明の主題は、物品を含有するための容積部を規定する本体であって、全体的に高さ、幅、および深さ、ならびに本体に結合される少なくとも１つの身体用ストラップを有する本体と、パックの本体部にヒンジ動作可能に結合されるヒンジ動作可能部分であって、開口をパック内のコンパートメントに提供する第１の状態およびコンパートメントへの開口を閉じる第２の状態を有するヒンジ動作可能部分と、ヒンジ動作可能部分を閉鎖状態にロックするための閉鎖システムとを備え、ヒンジ動作可能部分は、閉鎖システムが解放されるときにコンパートメントが自動的に開くように、ヒンジ動作可能部分が第１の状態にあるときは無負荷であり、第２の状態にあるときは相対的に負荷をかけられるばねシステムに結合される、着用パックにおいて、ヒンジ動作可能部分は、パックの本体部に枢動可能に接続されかつばねシステムに結合される可動フレーム部材を含み、ヒンジ動作可能部分は、パックの上方前部に配置されかつパックの上部に開口を作成するように背部に対して枢動可能であり、ヒンジ動作可能部分は、柔軟な材料で形成されるフレクシャベアリングまたは一体成形ヒンジを備える接合部に沿ってヒンジ動作する、着用パックに向けられる。
【０００８】
ある実施形態では、本発明の主題は、物品を含有するための容積部を規定する本体を提供するステップであって、本体は全体的に、高さ、幅、および深さ、ならびに本体に結合される少なくとも１つの身体用ストラップを有する、ステップと、パックにヒンジ動作可能部分を提供するステップであって、ヒンジ動作可能部分は、開口をパック内のコンパートメントに提供する第１の状態およびコンパートメントへの開口を閉じる第２の状態を有する、ステップと、ヒンジ動作可能部分を閉鎖状態にロックするための閉鎖システムをパックに提供するステップと、ヒンジ動作可能部分に結合され、閉鎖システムが解放されるときにコンパートメントが自動的に開くように、ヒンジ動作可能部分が第１の状態にあるときは無負荷であり、第２の状態にあるときは相対的に負荷をかけられるばねシステムをパックに提供するステップと、を含む、パックを作る方法に向けられる。
【０００９】
前述のことは、本発明の主題の実施形態および特徴の包括的リストであることを目的としていない。当業者は、図面と併せて下記の詳細な説明から他の実施形態および特徴を理解することができる。これらの実施形態および他の実施形態は、下記の詳細な説明および図においてより詳細に述べられる。この文書で最初に提出された、またはその後に補正された、添付の請求項は、あたかも直接書かれているかのようにこの概要部分にこれによって組み込まれる。添付の図は、先行技術を示すと述べられない限り、本発明の主題による実施形態を示す。
【図面の簡単な説明】
【００１０】
【図１】フレームがどのようにパックと関連するかを示すために、バックパックがフレーム上に概念的に重ね合わされた状態の着用パックのためのばね負荷式フレームシステムの１つの可能な実施形態の前側左斜視図を示す図である。
【図２】パック内の第１のコンパートメントが開放状態にある図１のものに似たばね負荷式フレームシステムを組み込む着用パックの正面図を示す図である。
【図３】コンパートメントが開放状態にある図２の着用パックの左側面図を示す図である。
【図４】コンパートメントが閉鎖状態にある図２の着用パックの左側面図を示す図である。
【図５】コンパートメントが開放状態にある図２のパックの前側左斜視図を示す図である。
【図６】コンパートメントが開放状態にある図２のパックの後側右斜視図を示す図である。
【図７】パック内の第１のコンパートメントが開放状態にあり、パック内のオプションの第２のコンパートメントが閉鎖状態にある図２の着用パックの右側面図を示す図である。
【図８Ａ】異なる状態での代替実施形態の側面図を示す図である。
【図８Ｂ】異なる状態での代替実施形態の側面図を示す図である。
【発明を実施するための形態】
【００１１】
本発明の主題による代表的実施形態は、図１〜図７に示され、そこでは同じまたは大体似ている特徴は、共通の参照数字を共有する。
【００１２】
当業者は、多くの変更および変形が、本発明の主題の本質を説明するために述べられ、例示された部品および動作の詳細、材料および配置において可能であること、ならびにそのような変更および変形が、そこに含有される教示および請求項の趣旨および範囲から逸脱しないことを認識するであろう。
【００１３】
用語「着用パック」は、本明細書で使用される場合、バックパック、リュックサック、デイパック、ヒップパック、メッセンジャーバッグ、トートバッグおよび１つ以上の肩ストラップを有する他のパックから成る系統に沿って、肩ストラップを有する着用パックを広く指す。「バックパック」は、文脈が特に示さない限り、１対の肩ストラップを有するパックを意味する。身体保持ストラップまたは他の支持体を介して身体に自己支持しないパックは、着用パックではない。例えば、ハンドルだけを有するスーツケースは、着用できないパックである。
【００１４】
本発明の主題は一般に、自動的に開くコンパートメントを有する着用パックに向けられる。パックは、物品を含有するための容積部を規定する本体と、パックを使用者の身体に支持するためのストラップシステムとを有する。パックの一部分は、パックの別の本体部にヒンジ動作可能に結合される。ヒンジ動作可能部分は、開口をパック内のコンパートメントに提供する第１の状態、およびコンパートメントへの開口を閉じる第２の状態を有する。ヒンジ動作可能部分は、閉鎖システムが解放されるときにコンパートメントが自動的に開くように、（１）ヒンジ動作可能部分が第１の状態にあるときは負荷をかけられ、（２）第２の状態にあるときは相対的に無負荷であるばねシステムに結合される。パックは、ヒンジ動作可能部分を閉鎖状態にロックするための閉鎖システムを含んでもよい。
【００１５】
図１〜図８Ｂは、パック１０の可能な実施形態を例示し、それはこの場合、バックパックである。図示される実施形態は一般に、本発明の主題を例示するために使用されることになるが、本発明の主題は、それらによって限定されるべきでない。パック１０の本体１２は、少なくとも前面１４、背面１６、上面１８、底面２０、ならびに他の表面と相互接続する側面２４および２６の全体的構成を有する。表面の配置は、物品を含有するための１つ以上の容積部、すなわち主コンパートメント３０を規定する。表面１４、１６、１８、２０、２４、および２６の文脈において、用語「表面」は、パックの本体に組み立てられるときに外に向く側および内に向く側を有する全体的にシート状またはパネル状構造を意味するために広く使用される。表面は、個別の接合部で一緒になる必要はなく、それらは、例えば湾曲する境界面で融合してもよい。典型的には、表面は、編物または織ったもしくは不織の布地の１つ以上の層などの、柔軟な材料で作られるが、しかしパックは、プラスチック、ポリマー発泡体、金属、および／または複合物などの、形状を保つ半硬質または硬質材料で全体的にまたは部分的に作られてもよい。
【００１６】
少なくともバックパックの場合には、本体は一般に、それが着用者の背中に快適に適合するようなサイズおよび形状にされる。場合によっては、それは、背中の骨格の輪郭に合致するように輪郭形成されてもよい。一般に、それは、背中の幅、または目的とする着用者のウエストと肩との間の長さをほとんど越えないような寸法にされる。バックパックは、高さの変化、例えば小さい、中間、または大きい高さを受け入れるために異なるサイズおよび形状にされてもよい。またはそれらは、性別または年齢のカテゴリ、例えば男性、女性、または子供に適合するようなサイズおよび形状にされてもよい。特に、上部側もしくは底部側の表面または両方は基本的に、前面１４および背面１６の上部エッジ、ならびに／または前面１４および背面１６の底部エッジを一緒に融合させ、表面が接合するくさび形（例示される実施形態には図示せずまたは存在しない）を作成することによって全体的にまたは部分的に取り除かれる可能性もある。同様に、表面は、例えば表面を融合させるために曲線を使用することによって横から低減される可能性もある。側面２４および２６はまた、同様の仕方で接合されるまたは融合される可能性もある。表面は、必ずしも連続表面であるとは限らず−例えばジッパー、網状部分、およびコードが、それらを中断してもよい。
【００１７】
典型的には、パック１０の本体１２は、パック１０の内の主コンパートメント３０へのアクセスのための閉鎖可能な開口１を含む。図示される実施形態では、開口１は、主コンパートメント３０へのパック１０の上部におけるアクセスを提供する。開口１は、パック１０の片側または両側の下方へ所望の程度まで延びてもよい。開口１は、連動するオス／メス部品に基づく機構、例えばスナップ、ジッパー、面ファスナー、ボタン、その他などの、閉鎖システム２３ａ、２３ｂによって閉鎖状態に固定されてもよい。
【００１８】
開口１は、パック１０の一部分を別の部分から分離することによって作成される。図は、パック１０の前部１５がヒンジの周りに沿ってパックの背部１７から移動できることを示す。本明細書で使用される場合、「ヒンジ」は、２つの固形物体を接続するまたは２つの固形物体のための境界面であるベアリングの一種であり、物体間のある回転角を可能にする。理想的ヒンジによって接続される２つの物体は、固定回転軸の周りで互いに回転する。ヒンジは、柔軟な材料でまたは別個の移動構成要素で作られてもよい。本明細書で使用される場合、用語「ヒンジ」は、フレクシャベアリングおよび一体成形ヒンジ、ならびに機械的ヒンジを包含する。本発明の主題によると、いったん使用者が、例えばヒンジ動作可能部分１１を本体部に固定しておく閉鎖機構を外すまたはさもなければ引き離すことによって、ヒンジ動作可能部分１１を閉鎖状態から解放すると、ヒンジ動作可能部分１１は、パック内の主コンパートメント３０が自動的に開くように、ばねシステムを介してばね負荷をかけられる。
【００１９】
図示される実施形態では、ヒンジ動作可能部分１１は、ヒンジ動作可能部分１１の下方端部およびヒンジ動作可能部分１１を支持するパックの静止部の上部を規定する接合部７に沿ってヒンジ動作する。接合部の線は、パックの長軸に対して直角にまたは横方向に配置されてもよい。それは、直線状であってもよくまたはヒンジ動作を支持する任意の他の所望のもしくは自然の経路をたどってもよい。接合部７は、ヒンジ動作可能部分１１の下方に配置された本体部に対してヒンジ動作可能部分１１が関節をなす（ａｒｔｉｃｕｌａｔｅ）ことを可能にする、パック材料で形成されるフレクシャベアリングまたは一体成形ヒンジを表してもよい。接合部７は、本体１２に対してより容易に曲がる、より柔軟な材料またはより薄い材料で形成されてもよい。またはヒンジ動作可能部分１１は、下方の本体１２と同じ材料および同じ厚さで形成されてもよいが、しかしその材料で形成される溝または他の曲げ線が、ヒンジ動作を可能にする。ヒンジ動作可能部分１１は、パックの背部またはパック１０の前部１５もしくは背部１７の下方部に形成される可能性もあり、単一のパック１０は、そのような領域に複数のヒンジ動作可能部分１１を有してもよいと理解すべきである。
【００２０】
図示される実施形態では、閉鎖可能な開口１は、閉鎖可能な主コンパートメント３０の一部を形成するヒンジ動作可能部分１１の一部であるフレームシステム９を介して提供される。フレームシステム９は、主コンパートメント３０を閉じるために背部１７と係合するパックの前部１５のエッジ１５ａと関連付けられるまたは一体化される可動フレーム要素１３を含む。閉鎖状態では、ヒンジ動作可能部分１１は、パック１０の上部１８および／または側部２４、２６に沿って配置される。本体１２は、主コンパートメント３０の中への他の開口１を有してもよく、それらは、閉鎖可能な開口または永続的な開口であってもよい。例えば、パック１０の前面１４、側面２４，２６、および／または底面２０からの開口があってもよい。
【００２１】
図示される実施形態では、ヒンジ動作可能部分１１は、硬質または半硬質材料で作られた全体的にＵ字形のフレーム１３から成るフレームシステム９を有する。例えば、フレーム１３は、ばね鋼、アルミニウム、またはＡＢＳもしくはポリエチレンなどの成形可能なプラスチックで作られてもよい。フレーム１３は、材料の一体物であってもよくまたはそれは、一緒に接続される別個の部品から構成されてもよい。Ｕ字の閉鎖端部（横棒部）は、前部１５の上部エッジに沿って配置され、それに結合される。脚部１３ａ，１３ｂは、前部１５の両側に沿って下向きに延びる。脚部１３ａ，１３ｂの底部は、フレーム１３が、パックの背部１７の両側に回転可能に結合されるように、ピボットポイント３、４においてパックの両側に枢動可能に固着される。固着材料は、パックの本体に結合されるまたはパック１０の関連部を形成する金属またはプラスチックなどの硬質材料であってもよい。
【００２２】
図１は、フレームシステム９の上に概念的に重ね合わされたパック１０を示す。フレーム１３は、第１の閉鎖位置に示される。同じ要素１３’もまた、それが開放位置に現れることになるように示される。ばねシステム２１は、ばねシステム２１の緩和状態では、ヒンジ動作可能部分１１が開放状態にあるように、ピボットポイント３、４と関連付けられる。ヒンジ動作可能部分１１が、閉鎖位置に移動されると、ばねシステム２１は、負荷をかけられる。ばねシステム２１は、様々な既知の機械的ばねまたは材料に基づくばねの任意の１つから成ってもよい。図１に示されるように、例えば、ばねシステム２１は、ヒンジ動作可能部分１１のための接合部７に沿って配置される１つ以上のトーションばねであってもよい。図示される実施形態では、トーションばねの片方のアームは、フレーム１３の脚部１３ａに結合され、もう一方は、パックの背部１７に結合される。パック１０の反対側における第２のトーションばね（図示せず）は、同じ方法でフレーム１３の反対側の脚部１３ｂに結合されてもよい。脚部１３ａ，１３ｂは、ピボットポイントで終わると示されるけれども、脚部１３ａ，１３ｂは、パック１０に構造的骨組みを提供するためにピボットポイントの下方に延びてもよい。
【００２３】
他の可能な実施形態では、ヒンジ動作可能部分１１は、ヒンジ動作可能部分１１が閉鎖位置に移動され、固定されると、縮んで、負荷をかけられる圧縮ばねによって背部１７に直接的にまたは間接的に結合されてもよい。閉鎖位置から解放されるとき、圧縮ばねは、自動的に無負荷になり、ヒンジ動作可能部分１１を開放位置に戻す。トーションばねは、片方のもしくは両方のピボット軸にまたは軸の間に位置する可能性もある。
【００２４】
別の可能性は、弾性布帛またはバンドなどの材料に基づくばねシステム２１である。例えば、ヒンジ動作可能部分１１は、ヒンジ動作可能部分１１と弾性引っ張り状態にあるパック１０の本体１２の下部に直接的にまたは間接的に結合されてもよい。例えば、結合は、ヒンジ動作可能部分１１の両側に配置される弾性パネルまたはガセットによる可能性もある。パック１１０のための弾性パネル１２１の例は、図８Ａ〜図８Ｂに見られる。パック１１０は、図１のパック１０に似ているが、しかし弾性材料を使用するので、ピボットポイント３、４と関連するばねを有する必要がない。ヒンジ動作可能部分１１１が、主コンパートメント３０を閉じるために下方本体部から離れて上向きに引っ張られると、材料は、負荷をかけられる。フレーム要素１３２は、本体のための容積部形状を規定するためにパック１１０の本体と関連付けられてもよい。解放されるとき、それは、ヒンジ動作可能部分１１を開放状態に戻す復帰力を発揮することになる。同様の結合配置は、パック１１０の本体に組み込まれることになる引っ張りばねまたは弾性コードで弾性材料を置き換えることによって達成される可能性もある。
【００２５】
ヒンジ動作可能部分１１が、閉鎖位置にあるとき、閉鎖システム２３ａ、２３ｂは、それを適所にロックするために使用されてもよい。閉鎖システム２３ａ，２３ｂが解放されるとき、ヒンジ動作可能部分１１は、開放位置に素早く移り、閉鎖システム２３ａ，２３ｂを解放すること以外に、使用者が主コンパートメント３０を手動で開く必要なく、主コンパートメント３０への容易で即時のアクセスを提供する。自動的に開く主コンパートメント３０は、主コンパートメント３０に限定されないことを理解すべきである。それは、パック１０の内の任意の１つ以上のコンパートメントであってもよい。
【００２６】
ばねシステムのための別の可能性は、弾力性顎状システムであり、すなわち片方の部分が、ヒンジ動作可能部分１１と一体化され、もう一方が、相対的に静的な本体部と一体化される。顎は、上を向くことになり、顎のための開放スペースがまた、コンパートメントのための開口でもある。顎部は、形状記憶材料（例えば、金属またはポリマー）で形成される一体構造であってもよく、上部および下部は、フレクシャベアリングまたは一体成形ヒンジの周りでヒンジ動作する。顎部は、一緒に押し付けられるとき負荷をかけられ、離れるとき無負荷になる。それによって、顎部は、互いに固定されないときに開放位置へ自動的に戻る。
【００２７】
前述の議論は、可動本体部に組み込まれる個別のフレームシステム９を有するとしてヒンジ動作可能部分１１を述べるが、可動本体部は、別個のフレーム構成要素の必要性を排除するために半硬質または硬質材料で一体的に形成される可能性もある。
【００２８】
可動フレームシステムに加えて、パック１０は、パック１０の前部１５および背部１７を分離されたままにするのに役立ち、主コンパートメント３０の構造および容積部を維持する、フレーム要素３２または１３２などの、パック１０を所望の構成に支持するのに役立つ静的フレーム部材を有してもよい。そうするとき、ヒンジ動作可能部分１１は、閉鎖のために背部１７とより容易に位置合わせされる。静的フレーム部材は、パックに対していくらかの弾力的柔軟性を許容するがしかしなお全体的に主コンパートメント３０を所望の形状に保持するために半硬質であってもよい。
【００２９】
パック１０はオプションとして、図７に見られるように、背部パネル領域でアクセスされる専用のラップトップ２またはタブレットコンピュータのコンパートメント３５を有してもよく、それは、自動的に開いてもよくまたは開かなくてもよい。そのコンパートメント３５へのアクセスは、片側の上方にある部分から、上部を回って、もう一方の側の下方にある部分まで走るジッパーを介して提供されてもよい。ラップトップ用コンパートメントのジッパーは、ストラップから離れており、それでアクセスは、確実で、なお容易である。一般に、ラップトップ２またはタブレットコンピュータのためのコンパートメントのサイズは、２０ｃｍ（高さ）×１２ｃｍ（幅）×１０ｃｍ（深さ）の最小寸法を有するデバイスを収納し、封入するサイズを有するように構成されるべきである。
【００３０】
主コンパートメント３０に加えて、本体は、物品を含有するために任意の数の他のコンパートメントを含んでもよい。他のコンパートメントは、主コンパートメント３０または互いに対して左右にまたは上下に隣接して配置されてもよい。そのコンパートメントのいずれかを含む、本体１２はまた、コンパートメントの内側または外側に配置されるポケットを有してもよい。例えば、ポケット（図示せず）はまた、本体１２の前方に配置されてもよい。本明細書で使用される場合、「コンパートメント」は、寝袋、ラップトップ、衣類、本、その他などのものを保持するための相対的に大きい領域を指す。一般に、「ポケット」は、財布、携帯電話、メディアプレーヤ、水筒、その他などのものを保持するための相対的により小さい領域を指す。しかしながら、パックの主コンパートメント３０よりほかは、コンパートメントであるものとポケットであるものとの間に明瞭な分割線が常にあるとは限らない。図７は、ラップトップ２などの物体を収納するための、主コンパートメント３０から分離されたオプションの背面からアクセスできるコンパートメント３５を示す。コンパートメント３５は、例えば閉鎖システム２３ａ、２３ｂによってアクセスされてもよい。
【００３１】
パック１０に結合される身体用ストラップシステムは、本体に接続される１つ以上の個別の品物であってもよい。またはそれらは、本体と一体化される、例えばパックの本体と一体形で織られる、編まれる、もしくは成形される構造体であってもよい。ストラップシステムは、従来のバックパックで知られているように、１対の肩ストラップであってもよい。またはそれは、例えばバイクメッセンジャーバッグの場合に知られているように、着用者の片方の肩の上から着用者の胸部を横切って肩の反対側の腕の下へと適合するように構成される長い単一ストラップであってもよい。
【００３２】
本明細書で使用される場合、「ストラップ」は、柔軟で、目の粗い、帯状の構造体だけでなく、また本明細書で述べられる目的のための機能性を提供する個々のフィラメントまたはフィラメントの束、鎖、コード、ケーブル、その他をも指すように意図されている。ストラップは、弾性または非弾性構成を有してもよい。それはまた、弾性部分および非弾性部分の構成を有してもよい。
【００３３】
図に示されるバックパックは、１つ以上の肩ストラップ、示される例ではストラップ３６および３８を含む。肩ストラップシステムは、材料の単層ストラップに基づいてもよくまたはそれらは、より重い荷物を運ぶためのより高性能のバックパックで知られているように、材料の複合物とすることができる。しばしば、着用者の身体に重みがかかる肩ストラップの部分は、パッド付きもしくは衝撃を和らげる材料または構成を使用して作られる。例えば、それは、ポリウレタン、成形または切断ＥＶＡ発砲体（エチレン酢酸ビニール）、ナイロンなどの布帛によって囲まれたまたはそれに接合されたパッド付きメッシュ−ナイロンまたはポリエステルスペーサメッシュとしてしばしば知られている−などの、セル状発泡材料の複合物であってもよい。
【００３４】
着用者の身体でパック１０の本体１２を運ぶための肩ストラップに加えて、パック１０はオプションとして、ハンドルまたはグリップ２２を含んでもよい。
【００３５】
パック１０の本体１２は、薄く、柔軟な材料の１つ以上の層で構成されてもよい。本体に使用するための典型的な柔軟な材料は、天然材料および合成材料、ナイロン布帛、ポリエステル布帛、天然もしくは合成ゴムまたは材料のゴム状層、動物の皮（例えば、革）、綿、帆布、麻、羊毛、ならびに混紡布帛を含む。これらの材料は、単独でまたは互いに組み合わせて使用されてもよい。本体は、ナイロン平織りもしくはあや織り布帛などの連続表面または網目もしくはクモの巣状の構造などの穴のあいた表面を有する材料を使用して形成されてもよい。
【００３６】
フレーム要素は、柔軟な材料または他の本体形成材料を層間に組み込むまたは材料の外面または内面に貼り付けることによってそれらと関連付けられてもよい。さらに、パックのパネルまたは一部は、剛性または半剛性構造体を提供するために硬質材料で一体的に成形されるまたはさもなければ形成されてもよい。
【００３７】
任意の特定の例に関連して上で述べられる原理は、他の例の任意の１つ以上と関連して述べられる原理と組み合わされてもよい。それに応じて、この詳細な説明は、限定する意味で解釈されるものではなく、この開示の概観に続いて、当業者は、本明細書で述べられる様々な概念を使用して考案されてもよい多種多様なシステムを理解するであろう。その上、当業者は、本明細書で開示される例示的実施形態が、開示される原理から逸脱することなく様々な構成に適合されてもよいことを理解するであろう。
【００３８】
本明細書で使用される場合、文脈が特に示さない限り、「結合」（および単語の様々な変化）は、物理的に接続される個別の品物であるまたは統合されたもしくは一体化の構造として物理的に形成される異なる機能の部品または部分を意味する。
【００３９】
開示される実施形態の前の説明は、当業者なら誰でも開示される革新技術を作るまたは使用することを可能にするために提供される。それらの実施形態への様々な変更は、当業者に容易に明らかとなり、本明細書で規定される一般的原理は、この開示の趣旨または範囲から逸脱することなく他の実施形態に適用されてもよい。それ故に、特許請求される発明は、本明細書で示される実施形態に限定されることを目的としておらず、請求項の言語と一致する全範囲を与えられるべきであり、物品の使用などによる、単数形「ａ」または「ａｎ」での要素への言及は、具体的にそう述べない限り、「唯一の」を意味せず、むしろ「１つ以上」を意味することを目的としている。
【００４０】
当業者に知られているまたは後で知られることになる、本開示全体にわたって述べられる様々な実施形態の要素に対するすべての構造的および機能的等価物は、本明細書で述べられ、特許請求される特徴によって包含されることを目的としている。その上、本明細書で開示されるものは何も、そのような開示が請求項で明確に列挙されるかどうかにかかわらず、公衆にささげられることを目的としていない。請求項要素は、要素が語句「のための手段」または「のためのステップ」を使用して明確に列挙されない限り、米国特許法の下で「手段プラス機能」請求項と解釈されるべきでない。
【００４１】
本発明は、次に来る請求項の趣旨および範囲内に来るすべての請求権を含み、本明細書で開示される主題に対するすべての権利を保有する。
【符号の説明】
【００４２】
１  開口、２  ラップトップ、３，４  ピボットポイント、７  接合部、９  フレームシステム、１０，１１０  パック、１１，１１１  ヒンジ動作可能部分、１２  本体、１３，１３’，３２，１３２  フレーム要素（フレーム）、１３ａ，１３ｂ  脚部、１４  前面、１５  前部、１５ａ  前部のエッジ、１６  背面、１７  背部、１８  上面、２０  底面、２１  ばねシステム、２２  ハンドル、グリップ、２３ａ，２３ｂ  閉鎖システム２４，２６  側面、３０  主コンパートメント、３５  コンパートメント、３６，３８  ストラップ、１２１  弾性パネル。
【図１】
2017000706.tif 000003
【図２】
2017000706.tif 000004
【図３】
2017000706.tif 000005
【図４】
2017000706.tif 000006
【図５】
2017000706.tif 000007
【図６】
2017000706.tif 000008
【図７】
2017000706.tif 000009
【図８Ａ】
2017000706.tif 000010
【図８Ｂ】
2017000706.tif 000011